(57)【要約】【課題】  パッチ積層体の位置調整作業を必要とせず、良好な操作性を具備したパッチ貼着具を提供することを目的とする。【解決手段】  パッチ貼着器１において、一回の貼着動作時において先端部１７が水平支持部材２７表面に当接すると、そのときの反作用を受けて軸体１５は中空部１２ないし空間５側に押し込まれると同時に、それまで突起片１１と係止していた鍔部１９よりさらに先端部１７側に近い鍔部１９が新たに突起片１１と係止することになる。したがって、先端部１７を水平支持部材２７表面に当接するようにして貼着作業を行うことにより、上記の反作用を先端部１７に受けさせ、軸体１５の押し込み動作を半自動的に行うことができ、しかも軸体１５と突起片１１とによって構成された、いわゆるインシュロック機構により、新たな係止位置を保持することができる。【選択図】          図１
2006088652.tif 000002
【特許請求の範囲】
【請求項１】
被貼着体のパンチ穴に対応する穴を備えたパッチを互いに粘着、積層されたパッチ積層体を貫通する軸体が本体部に取り付けられ、前記パッチ積層体から前記パッチを一枚ずつ前記パンチ穴の周囲に貼り付け可能にしたパッチ貼着具であって、
前記軸体の外周側面に軸方向に沿って設けた複数の凸部と、
前記本体部に設けられ、前記軸体が収容される軸体収容部と、
前記軸体収容部の内周側に凸設された突起部とを有し、
前記パッチ積層体の減少にしたがって、一端側が前記軸体収容部に収容される方向に前記軸体を移動自在とし、かつ前記複数の凸部のいずれかの凸部が前記突起部と係止するようにしたことを特徴とするパッチ貼着具。
【請求項２】
前記被貼着体が載置される台座を含む下部本体を備え、前記本体部は前記下部本体の一端側に軸支され、前記本体部の自由端部を回動自在にするとともに、前記パッチ積層体の積層状の各パッチの接着層を前記台座側に向けたパッチ貼着具であって、
前記本体部の自由端部に前記軸体収容部を設けた請求項１に記載のパッチ貼着具。
【請求項３】
前記台座は、前記自由端部の回動によりパッチ押圧力が前記被貼着体に付与されたとき、パッチ面と略平行になるように弾性変形可能に設けられている請求項２に記載のパッチ貼着具。
【請求項４】
前記本体部が、ケース体と、前記ケース体に対してスライド可能に取り付けられ、一端側が開口された中空スライド部とからなり、
前記スライド部の中空部に前記軸体収容部が設けられ、
前記軸体が、積層状の各パッチの接着層を前記開口側に向けた前記パッチ積層体とともに、前記開口側より前記中空部に挿入され、前記一端側が前記軸体収容部に収容可能にした請求項１に記載のパッチ貼着具。
【請求項５】
前記凸部は前記軸体の外周に沿って鍔状に突出形成され、かつ前記複数の凸部を所定の間隔をおいて前記軸方向に沿って設けた請求項１〜４のいずれかに記載のパッチ貼着具。
【発明の詳細な説明】
【技術分野】
【０００１】
この発明は、資料や書類のファイル用のパンチ穴の補強に使用するパンチ穴補強用パッチ貼着具に関し、特に互いに粘着、積層されたパッチ積層体からパッチを１枚ずつ繰り出してパンチ穴の周囲に貼着するパッチ貼着具に関する。
【背景技術】
【０００２】
この種のパッチ貼着具の一つに、ステイプラーと同様にワンタッチ操作でパッチの貼着ができるステイプラー型貼着具がある（特許文献１参照）。また、スタンパータイプのものも提案されている（特許文献２参照）。
【０００３】
前者のステイプラー型貼着具を図５に示す。ステイプラーのように、レバー７０とレバー７１の一端が心棒７２で相互いに回転可能に連結され、レバー７０、７１は常態では板バネ７３により一定の開状態に保持される。レバー７０の他端には、紙台７４が回転可能に取付けられ、また板バネ７５で支持されている。レバー７１の他端には、ガイド軸７６がツマミ７７によりネジ止めされて取り付けられている。ガイド軸７６には、各パッチが互いに粘着、積層されたパッチ積層体８０が挿着され、パッチ押さえ７８がナットとして取り付けられている。パッチ積層体８０は、各パッチとガイド軸７６との摩擦によりガイド軸７６から抜けないようになっている。パッチ積層体８０の最下層にあるパッチの下面８０ａは粘着面となっている。
【０００４】
このパッチ貼着具を使用する場合、レバー７０とツマミ７７を手に持ち、紙Ｐを紙台７４に挿入し、紙Ｐのパンチ穴とガイド軸７６の先端との位置を合わせてツマミ７７を押す。すると、ガイド軸７６がパンチ穴を挿通して、パッチ積層体８０の最下層のパッチがパンチ穴の周囲に貼着される。このとき、紙台７４が回転して板バネ７５が押し下げられ、紙Ｐとパッチの粘着面８０ａが平行になる。
【０００５】
後者のスタンパー型貼着具を図６に示す。筒状の本体ケース１１０内にサブケース１１１が固定され、サブケース１１１に対して筒状のスライド部材１１２がスライド可能に取付けられている。スライド部材１１２の内端には抜け防止用爪部１１２ａが設けられている。
【０００６】
筒状のスライド部材１１２内の中心には、パンチ穴及びパッチ穴に挿通可能な中空軸１１３が中心軸方向に移動可能に配置されている。中空軸１１３の内端には抜け防止用爪部１１３ａが設けられている。中空軸１１３の内端部は本体ケース１１０に設けられた筒状の支持部材１１４内に挿通されている。サブケース１１１と支持部材１１４との間にはコイルバネ１１５が配置されている。コイルバネ１１５はスライド部材１１２を本体ケース１１０から出る方向に付勢し、常態では爪部１１２ａがサブケース１１１の段部に係合する。支持部材１１４の内部には別のコイルバネ１１６が配置されている。コイルバネ１１６は中空軸１１３を本体ケース１１０から出る方向に付勢し、常態では爪部１１３ａが支持部材１１４の段部に係合する。
【０００７】
パッチ積層体１８０を保持する環状パッチ保持部材１１７が中空軸１１３に嵌挿され、ナットの支持部材１１４によりネジ止めされている。これにより、パッチ保持部材１１７は、スライド部材１１２と中空軸１１３の間において、相対的に移動可能に本体ケース１１０に支持される。中空軸１１３がパッチ保持部材１１７から突出する部分には、パッチ積層体１８０が嵌挿され、パッチ積層体１８０の最も奥のパッチがパッチ保持部材１１７に粘着、保持されている。
【０００８】
このスタンパー型貼着具を使用する場合、紙に開けられたパンチ穴に中空軸１１３を合わせ、本体ケース１１０を紙の方へ押すと、スライド部材１１２及び中空軸１１３が、例えば紙を載せてある机に押されて、コイルバネ１１５、１１６の付勢力に抗して本体ケース１１０側に移動し、パッチ積層体１８０が相対的に突出してくる。これにより、パンチ穴の周囲にパッチが貼付される。本体ケース１１０を押すのを止めると、スライド部材１１２及び中空軸１１３がコイルバネ１１５、１１６により押し返され、スライド部材１１２が紙を押すことによって、１枚目のパッチがパッチ積層体１８０から剥離し、パッチの貼付を完了する。
【０００９】
【特許文献１】特開平１１−１１０７３
【特許文献２】特開平１１−１９８５７９
【発明の開示】
【発明が解決しようとする課題】
【００１０】
しかしながら、上記のステイプラー型貼着具では、パッチ積層体８０をガイド軸７６との摩擦で保持し、パッチ押さえ７８はパッチ積層体８０の上側に位置するだけであるため、パッチが減ってくると、パッチ積層体８０とパッチ押さえ７８が離れてしまい、その都度、パッチ押さえ７８を回転させてパッチ積層体８０の位置を下げる調整作業を行う必要があり、使い勝手がよくないといった問題があった。
【００１１】
また、上記のスタンパー型貼着具では、上記の調整用パッチ押さえ７８のようなパッチ積層体１８０の位置調整機能自体がないため、パッチが残り少なくなると、本体ケース１１０を押し付けるストロークが長くなり、適度な力でパッチを押圧するのが難しくなった。このため、パッチ残量が少なくなればなるほど強く押し付けなければならず、操作性が一定しない問題があった。殊に、スタンパー型貼着具の場合、コイルバネ１１５などによる多重スライド構造であるため、上記の調整用パッチ押さえ７８のような位置調整機能をコンパクトに内装するのが難しいという問題もある。
【００１２】
この発明は、上記の課題に鑑み、パッチ積層体の位置調整作業を必要とせず、良好な操作性を具備したパッチ貼着具を提供することを目的とする。
【課題を解決するための手段】
【００１３】
本発明は前記課題を解決するためになされたものであり、本発明の第１の形態は、被貼着体のパンチ穴に対応する穴を備えたパッチを互いに粘着、積層されたパッチ積層体を貫通する軸体が本体部に取り付けられ、前記パッチ積層体から前記パッチを一枚ずつ前記パンチ穴の周囲に貼り付け可能にしたパッチ貼着具であって、前記軸体の外周側面に軸方向に沿って設けた複数の凸部と、前記本体部に設けられ、前記軸体が収容される軸体収容部と、前記軸体収容部の内周側に凸設された突起部とを有し、前記パッチ積層体の減少にしたがって、一端側が前記軸体収容部に収容される方向に前記軸体を移動自在とし、かつ前記複数の凸部のいずれかの凸部が前記突起部と係止するようにしたパッチ貼着具である。
【００１４】
本発明の第２の形態は、前記第１の形態において、前記被貼着体が載置される台座を含む下部本体を備え、前記本体部は前記下部本体の一端側に軸支され、前記本体部の自由端部を回動自在にするとともに、前記パッチ積層体の積層状の各パッチの接着層を前記台座側に向けたパッチ貼着具であって、前記本体部の自由端部に前記軸体収容部を設けたパッチ貼着具である。
【００１５】
本発明の第３の形態は、前記第２の形態において、前記台座は、前記自由端部の回動によりパッチ押圧力が前記被貼着体に付与されたとき、パッチ面と略平行になるように弾性変形可能に設けられているパッチ貼着具である。
【００１６】
本発明の第４の形態は、前記第１の形態において、前記本体部が、ケース体と、前記ケース体に対してスライド可能に取り付けられ、一端側が開口された中空スライド部とからなり、前記スライド部の中空部に前記軸体収容部が設けられ、前記軸体が、積層状の各パッチの接着層を前記開口側に向けた前記パッチ積層体とともに、前記開口側より前記中空部に挿入され、前記一端側が前記軸体収容部に収容可能にしたパッチ貼着具である。
【００１７】
本発明の第５の形態は、前記第１〜第４のいずれかの形態において、前記凸部は前記軸体の外周に沿って鍔状に突出形成され、かつ前記複数の凸部を所定の間隔おいて前記軸方向に沿って設けたパッチ貼着具である。
【発明の効果】
【００１８】
本発明の第１の形態によれば、前記軸体の外周側面に軸方向に沿って設けた複数の凸部と、前記本体部に設けられ、前記軸体が収容される軸体収容部と、前記軸体収容部の内周側に凸設された突起部とを有し、前記パッチ積層体の減少にしたがって、一端側が前記軸体収容部に収容される方向に前記軸体を移動自在とし、かつ前記複数の凸部のいずれかの凸部が前記突起部と係止するようにしたので、前記凸部と前記突起部により、一方の部材内を他方の部材が一定方向には移動できるが、逆方向には移動できない、いわゆるインシュロック（ｉｎｓｕｌｏｋ：登録商標）機構を構成し、前記凸部と前記突起部による係止作用によりロックすることができる。このインシュロック機構は例えば、結束バンドやケーブルタイなどに使用されるものである。本形態では上記のインシュロック機構を備えることにより、パッチ貼着時におけるパッチ押圧力が反作用となって前記軸体の一端側が前記軸体収容部に収容される方向に徐々に移動させるので、貼着作業しながら前記軸体の一端側を前記軸体収容部側に少しずつ押し込むことができ、パッチ積層体の位置調整作業を別途行う手間を不要とし、良好な操作性を具備させることができる。
【００１９】
本発明の第２の形態によれば、前記下部本体の一端側に軸支され、回動自在にした前記本体部の自由端部を備えたステイプラー型貼着具において、前記軸体と前記軸体収容部において上記インシュロック機構を構成し、パッチ積層体の位置調整作業を不要として、良好な操作性を具備させることができる。
【００２０】
本発明の第３の形態によれば、前記第２の形態において、前記台座は、前記自由端部の回動によりパッチ押圧力が前記被貼着体に付与されたとき、パッチ面と略平行になるように弾性変形可能に設けられているので、貼着済みのパッチを前記パッチ積層体から速やかに剥離させ、かつ貼着作業しながら前記軸体の一端側を前記軸体収容部側に緩やかに押し込むことができ、パッチ積層体の減り具合に応じて徐々に前記軸体の一端側を前記軸体収容部に収容させることができる。
【００２１】
本発明の第４の形態によれば、前記ケース体に対してスライド可能に取り付けられた前記中空スライド部内に前記パッチ積層体及び前記軸体を収納、保持するスタンパー型貼着具において、前記軸体と前記軸体収容部において上記インシュロック機構を構成し、パッチ積層体の位置調整作業を不要として、良好な操作性を具備させることができる。
【００２２】
本発明の第５の形態によれば、前記第２〜第４のいずれかの形態において、前記凸部は前記軸体の外周に沿って鍔状に突出形成され、かつ前記複数の凸部を所定の間隔おいて前記軸方向に沿って設けたので、鍔状凸部が前記突起部とかみ合ってロックしやすく、かつ一方向にのみ移動可能なインシュロック機構を構成することができる。特に、該鍔状形態としては前記軸体の進行方向に、かつ軸縦断面に対して鋭角を形成する凸部を用いれば、確実に一方向に進行可能でかつロックされるインシュロック機構を構成することができる。
【発明を実施するための最良の形態】
【００２３】
以下、本発明の一実施形態であるステイプラー型パッチ貼着具を図面を参照して説明する。図１は同パッチ貼着具の一部破断断面図である。このパッチ貼着具１の本体部は、長手方向に延びた下部本体３と、下部本体３の一端側において外嵌される軸部材７を介してヒンジ結合された上部本体２とからなる。上部本体２及び下部本体３のヒンジ部分８は互いに同軸状でかつ同径になる軸形態を有する。上部本体２及び下部本体３は樹脂成型加工により形成されている。上部本体２の中間部の両側面に一対のガイド片９が一体成型により形成されている。ガイド片９は下端内側に設けた突起３０を備え、突起３０は下部本体３の縦溝２９と嵌合している。上部本体２は軸部材７の中心の回りに回転するとき、突起３０が縦溝２９に沿って移動し、上部本体２の揺動運動を安定させている。上部本体２の自由端側の頭部４の凹所１３内には、パッチ積層体１８保持用軸体１５を保持するための軸体保持部材１４が取り付けられている。軸体保持部材１４は中空円筒形状を有し、一方の端面側に雄ネジ部１６が形成されている。上部本体２の頭部４に形成した雌ネジ部に雄ネジ部１６を螺着することにより軸体保持部材１４が頭部４に固定されている。軸体保持部材１４を固着した状態において、軸体保持部材１４の中空部１２は頭部４内部の空間５に連通している。
【００２４】
下部本体３は、前方に水平方向に延びた凹部２８を備え、反対側の端部において軸部材７を介して上部本体２とともにヒンジ結合されている。下部本体３のヒンジ側において軸部材３１により一端が固定された円弧状バネ部材１０が取り付けられている。バネ部材１０の先端は上部本体２の中間部内部の支持部材６表面に当接している。支持部材６は上部本体２の上部本体２の中間部全域に及んで形成されている。上部本体２の頭部４を押さえるなどして上部本体２をバネ部材１０のバネ力に抗して下方に回転させると、バネ部材１０の先端は支持部材６に沿って押し下げられ、頭部４への押圧力を解除すると、バネ部材１０は支持部材６との当接により、その弾性復帰力が上部本体２に加えられ、上部本体２は上方に跳ね返えるように逆方向に回転する。
【００２５】
下部本体３の凹部２８には、台座２０と、ガイド片２３が取り付けられている。台座２０は略く字形に折曲形成されていて、下部本体３の水平支持部材２７に設けた突起２５により位置決め固定されている。台座２０は屈曲部２２から斜め上向きに傾斜し、弾性変形可能に形成されており、その傾斜面中央には、軸体１５の先端部１７が下降したとき貫通する貫通孔２１が穿設されている。書類などの被貼着体Ｐなどは、台座２０とガイド片２３との間隙に挿入される。ガイド片２３は段差形状を有し、一端側でビス２６により台座２０とともに水平支持部材２７に取り付けられている。ガイド片２３の水平部分には台座２０の貫通孔２１に対向して貫通孔２４が穿設されている。貫通孔２４の内径はパッチ外径より大きく、軸体１５によって保持されたパッチ積層体１８が遊挿可能になっている。貫通孔２１の下方には、軸体１５の先端部１７が水平支持部材２７に当接する最下点に下降するように開口部４０が形成されている。
【００２６】
パッチ積層体１８は各パッチが互いに粘着されて多数枚のパッチが積層されたパッチ集合体である。各パッチはパンチ穴と同一サイズの貫通穴を有する樹脂又は紙製のドーナツ型シートからなり、片面側に被貼着体Ｐに接着する接着層が施されている。軸体１５はボルト様の長尺軸からなり、パッチ積層体１８の各パッチの貫通穴より少し大きい先端部１７を有する。最下層のパッチの接着面を台座２０側に向けて、パッチ積層体１８は先端部１７より少しこじ入れるようにして軸体１５に挿通されて装着、保持される。軸体１５は使用開始前のパッチ積層体１８より長い全長を有する。なお、パッチ積層体１８は軸体保持部材１４の前端面に対して、パッチ積層体１８の最後尾のシートにより貼着され、保持されるようにしてもよい。
【００２７】
軸体１５の外周構造及び取り付け形態を図２の（２Ａ）及び図３によって説明する。図２の（２Ａ）は図１の軸体１５係止個所Ａの拡大断面を示す。図２の（２Ａ）及び図３の（３Ｂ）に示すように、軸体１５の軸部３５には一定間隔Ｃにより鍔部１９が外周に沿って軸部３５より突出形成されている。鍔部１９の外周径Ｄ２は各パッチの貫通穴より少し小さく、パッチ積層体１８を挿通可能にしている。鍔部１９は先端部１７側において形成された空隙３２を有する。図３の（３Ａ）に示すように、軸体保持部材１４の開口部の内側縁部には中空部１２側、つまり内周側に鋭角を形成して傾斜した一対の突起片（突起部）１１が凸設されている。中空部１２の内径Ｄ１は鍔部１９の外周径Ｄ２より少し大きく、突起片１１の突出長は鍔部１９の庇長より少し小さい。パッチ積層体１８を外周に保持した軸体１５を、先端部１７と反対側の上端部から軸体保持部材１４の開口部に挿入することにより、上端部近傍の鍔部１９が突起片１１と係止することにより軸体１５を上部本体２の頭部４に装着することができる。鍔部１９を多数個備えた軸体１５と、突起片１１とによって本発明におけるインシュロック機構を構成している。また、軸体１５の装着状態において、頭部４内部の空間５と中空部１２が連通し、軸体１５を収容する軸体収容部を形成する。形成間隔Ｃも一定ではなく、徐々にピッチを変更するようにしてもよい。
【００２８】
図２の（２Ａ）に示したように、本発明におけるインシュロック機構では、空隙３２を有する鍔部１９を鈎状に形成し、一方向にのみは突起片１１と係止し、逆方向に移動しない部材構成としている。なお、突起片については、各部材との関係に応じて種々の形態を持たせることができる。例えば、図３の（３Ａ）に示すように、中空部１２の内周方向に広げた幅広の突起片３３を用いてもよく、また直交方向に別組の突起片３４を併置してもよい。また、鍔部１９または突起片１１の傾斜配置関係も、いずれか一方を水平形成としてもよい。
【００２９】
さらに、上記構成のパッチ貼着器１を使用してパッチの貼着を行う場合には、図１に示すように、被貼着体Ｐに形成されたパンチ穴Ｈの略中心を目視しながら、台座２０の上面とガイド片２３との間に差し入れる。被貼着体Ｐのセットが完了した状態で、上部本体２の頭部４が上方より押圧する。これにより、パッチ積層体１８を保持した軸体１５が台座２０側に下降することになり、先端部１７より貫通孔２４を通過し、最下面のパッチが被貼着体Ｐのパンチ穴Ｈ周りに貼着される。軸体１５の先端部１７が開口部４０に進入し、水平支持部材２７表面の最下点に当接するとそれ以上は下降しない。このときの押圧力により、台座２０は、外側に向いた状態から屈曲し、略水平姿勢に変位するため、パッチをパンチ穴Ｈ周りに面接触させ、パッチの接着層をパンチ穴Ｈ周りに均一に接着させることができる。パッチ貼着を終え、押圧力を解除すると、円弧状バネ部材１０の弾性復元力により上部本体２は上向きに回転し、元の状態に復帰する。また、屈曲していた台座２０もその弾性復元力により、傾斜状態に戻される。このとき、被貼着体Ｐに貼着されたパッチ上面は次のパッチの粘着下面に対して鋭角を形成生するため、貼着済みのパッチがパッチ積層体１８より円滑に剥がされ、分離する。なお、台座２０は回転可能に軸支するピンによりシーソー状に揺動するように設けてもよい。
【００３０】
パッチ貼着器１において、一回の貼着動作時において先端部１７が水平支持部材２７表面の最下点に当接すると、そのときの反作用を受けて軸体１５は中空部１２ないし空間５側に押し込まれると同時に、それまで突起片１１と係止していた鍔部１９よりさらに先端部１７側に近い鍔部１９が新たに突起片１１と係止することになる。すなわち、先端部１７を水平支持部材２７表面の最下点に当接するようにして貼着作業を行うことにより、上記の反作用を先端部１７に受けさせ、軸体１５の押し込み動作を半自動的に行うことができ、しかも軸体１５と突起片１１とによって構成されたインシュロック機構により、新たな係止位置を保持することができる。したがって、ステイプラー型パッチ貼着器１においては、パッチ積層体１８の減少にしたがって、一端側が中空部１２ないし空間５に収容される方向に軸体１５を移動自在とし、かつ複数の鍔部１９（凸部）と突起片１１との係止位置を徐々に変更させ、パッチの消費が進んでも、パッチ積層体１８の最下層パッチが先端側に半自動的に、かつ安定的に位置させることができ、パッチ消費の都度、パッチ積層体１８の位置を下げる調整作業を不要とし、極めて使い勝手がよい操作性を有する。
【００３１】
次に、本発明の他の実施形態であるスタンパー型パッチ貼着具を図４を参照して説明する。図４は同パッチ貼着具の一部破断断面図である。なお、上記実施形態と同様の部材については同一の符号を付している。
【００３２】
このパッチ貼着具では、把持部となる本体ケース５０内に中間ケース５１が固定されている。中間ケース５１に対して、一端側が開口された中空スライド部材５２がスライド自在に取り付けられている。スライド部材５２は、その内端に爪部５５を有し、この爪部５５が中間ケース５１の内周面に形成された係合部に係合することによりで、スライド部材５２が中間ケース５１から抜けないようになっている。
【００３３】
中間ケース５１内部には、支持部材５４が嵌め込みにより固定されている。支持部材５４はスライド部材５２内径より小さい外径を有し、外側に開口し、中心軸に沿って長尺状の中空部５９を備える。中空部５９は軸体５３を収容する軸体収容部を形成する。中間ケース５１と支持部材５４との間には、コイルバネ５６が介挿されされている。コイルバネ５６は、スライド部材５２を本体ケース５０から出る方向に付勢している。支持部材５４の開放端側には雌ネジ部が形成されており、パッチ積層体１８を保持する中空保持部材５７の雄ネジ部５８が螺着されている。パッチ積層体１８は保持部材５７に対して、パッチ積層体１８の最後尾のシートにより貼着され、保持される。保持部材５７は軸体５３を遊挿させる中空形状を有する。軸体５３は、パッチ積層体１８を貫通する長尺状軸形状を有する。なお、軸体５３を軽量化するために中空形状としてもよい。また、上記実施形態の軸体１５と同様に、中空保持部材５７を用いずに、軸体５３によってパッチ積層体１８を保持するようにしてもよい。
【００３４】
軸体５３の外周構造及び取り付け形態を図２の（２Ｂ）によって説明する。図２の（２Ｂ）は図４の軸体５３係止個所Ｂの拡大断面を示す。同図の（２Ｂ）に示すように、軸体５３の軸部３６には一定間隔で鍔部３７が外周に沿って軸部３６より突出形成されている。鍔部３７は上記実施形態の鍔部１９と同様の形状を有し、その外周径は各パッチの貫通穴より少し小さく、パッチ積層体１８を挿通可能にしている。また、鍔部３７は軸体５３の先端側において形成された空隙３８を有する。一方、支持部材５４の開口部の内側縁部には中空部５９側、つまり内周側に傾斜した一対の突起片６０が凸設されている。中空部５９の内径は鍔部３７の外周径より少し大きく、突起片６０の突出長は鍔部３７の庇長より少し小さい。
【００３５】
パッチ積層体１８を貫通した軸体５３を、中空保持部材５７を貫通させ中空部５９内に挿入させることにより、上端部近傍の鍔部３７が突起片６０と係止することにより軸体５３を支持部材５４に装着することができる。上記実施形態と同様に、鍔部３７を多数個備えた軸体５３と、突起片６０とによって本発明におけるインシュロック機構を構成している。
【００３６】
このパッチ貼着器においては、スライド部材５２のスライド移動による一回の貼着動作時において、軸体５３の先端が被貼着体を載置した机面などに当接すると、そのときの反作用を受けて軸体５３は中空部５９側に押し込まれると同時に、それまで突起片６０と係止していた鍔部３７よりさらに先端側に近い鍔部３７が新たに突起片６０と係止することになる。したがって、上記実施形態と同様に、このスタンパー型パッチ貼着具においても、パッチ積層体１８の減少にしたがって、一端側が中空部５９に収容される方向に軸体５３を移動自在とし、かつ複数の鍔部３７（凸部）と突起片６０との係止位置を徐々に変更させ、パッチの消費が進んでも、パッチ積層体１８の最下層パッチが先端側に半自動的に、かつ安定的に位置させることができ、パッチ消費の都度、パッチ積層体１８の位置を下げる調整作業を不要とし、極めて使い勝手がよい操作性を有する。
【００３７】
なお、本発明にかかるパッチ貼着具は上記実施形態に限定されるものではなく、本発明の要旨を逸脱しない範囲で種々変更することができる。
【産業上の利用可能性】
【００３８】
以上から明らかなように、本発明の第１の形態によれば、前記凸部と前記突起部により、いわゆるインシュロック機構を構成し、前記凸部と前記突起部による係止作用によりロックすることができ、またパッチ貼着時におけるパッチ押圧力が反作用となって前記軸体の一端側が前記軸体収容部に収容される方向に徐々に移動させるので、貼着作業しながら前記軸体の一端側を前記軸体収容部側に少しずつ押し込むことができ、パッチ積層体の位置調整作業を別途行う手間を不要とし、良好な操作性を具備したパッチ貼着具を提供することができる。
【００３９】
本発明の第２の形態によれば、パッチ積層体の位置調整作業が不要であり、良好な操作性を具備したステイプラー型パッチ貼着具の提供が可能となる。
【００４０】
本発明の第３の形態によれば、前記台座は、前記自由端部の回動によりパッチ押圧力が前記被貼着体に付与されたとき、パッチ面と略平行になるように弾性変形可能に設けられているので、貼着済みパッチの速やかな剥離を行え、かつ貼着作業しながら前記軸体の一端側を前記軸体収容部側に緩やかに押し込むことができるステイプラー型等のパッチ貼着具を提供することができる。
【００４１】
本発明の第４の形態によれば、パッチ積層体の位置調整作業が不要であり、良好な操作性を具備したスタンパー型パッチ貼着具の提供が可能となる。
【００４２】
本発明の第５の形態によれば、鍔状凸部が前記突起部とかみ合ってロックしやすく、一方向にのみ移動可能なインシュロック機構を備えたパッチ貼着具の提供が可能となる。
【図面の簡単な説明】
【００４３】
【図１】本発明の一実施形態であるステイプラー型パッチ貼着具の一部破断断面図である。
【図２】図１の部分Ａ及び図４の部分Ｂの拡大部分断面図である。
【図３】本発明に係る軸体及び突起片を示す図である。
【図４】本発明の別の実施形態であるスタンパー型パッチ貼着具の一部破断断面図である。
【図５】従来のステイプラー型パッチ貼着具の縦断面図である。
【図６】従来のスタンパー型パッチ貼着具の一部破断断面図である。
【符号の説明】
【００４４】
１      パッチ貼着具
２      上部本体
３      下部本体
４      頭部
５      空間
６      支持部材
７      軸部材
８      ヒンジ部分
９      ガイド片
１０    バネ部材
１１    突起片
１２    中空部
１３    凹所
１４    軸体保持部材
１５    軸体
１６    雄ネジ部
１７    先端部
１８    パッチ積層体
１９    鍔部
２０    台座
２１    貫通孔
２２    屈曲部
２３    ガイド片
２４    貫通孔
２５    突起
２６    ビス
２７    水平支持部材
２８    凹部
２９    縦溝
３０    突起
３１    軸部材
３２    空隙
３３    突起片
３４    突起片
３５    軸部
３６    軸部
３７    鍔部
３８    空隙
４０    開口部
５０    本体ケース
５１    中間ケース
５２    スライド部材
５３    軸体
５４    支持部材
５５    爪部
５６    コイルバネ
５７    保持部材
５８    雄ネジ部
５９    中空部
６０    突起片
Ｈ      パンチ穴
Ｐ      被貼着体
【図１】
2006088652.tif 000003
【図２】
2006088652.tif 000004
【図３】
2006088652.tif 000005
【図４】
2006088652.tif 000006
【図５】
2006088652.tif 000007
【図６】
2006088652.tif 000008